(57)【要約】【課題】不正原稿を複数枚検知した際の強注意音の制御を行なうとともに、他の要因によるブザーが適切に処理することができる画像読取装置およびその制御方法を提供すること目的とする。【解決手段】原稿画像を読み取って得た画像データから所定の地紋パターンを認識すると、当該読み取り画像データに対して所定の無効化処理を適用するとともに、所定の強注意音を鳴動出力する画像読取装置において、前記強注意音の鳴動動作中に、新たに原稿画像を読み取って得た画像データから所定の地紋パターンを認識すると、動作中の前記強注意音の鳴動を停止し、新たに読み取った原稿について所定の強注意音の鳴動動作を開始する手段を備えた。【選択図】        図１
2006135777.tif 000002
【特許請求の範囲】
【請求項１】
原稿画像を読み取って得た画像データから所定の地紋パターンを認識すると、当該読み取り画像データに対して所定の無効化処理を適用するとともに、所定の強注意音を鳴動出力する画像読取装置において、
前記強注意音の鳴動動作中に、新たに原稿画像を読み取って得た画像データから所定の地紋パターンを認識すると、動作中の前記強注意音の鳴動を停止し、新たに読み取った原稿について所定の強注意音の鳴動動作を開始する手段を備えたことを特徴とする画像読取装置。
【請求項２】
前記強注意音の鳴動動作中に、新たに原稿画像を読み取って得た画像データから所定の地紋パターンを認識すると、次ページについて前記強注意音の鳴動動作を予約するとともに、前記強注意音の鳴動動作を終了したときに、前記強注意音の鳴動動作が予約されている場合には、前記強注意音の鳴動動作を開始する手段を備えたことを特徴とする請求項１記載の画像読取装置。
【請求項３】
前記強注意音の鳴動動作中に、他の警告による他の鳴動動作が発生した場合、当該他の鳴動動作を予約するとともに、前記強注意音の鳴動動作が終了したときに、前記他の鳴動動作が予約されている場合には、当該他の鳴動動作を開始する手段を備えたことを特徴とする請求項１または請求項２記載の画像読取装置。
【請求項４】
前記強注意音の鳴動動作中に、他の警告が発生したとき、当該他の警告が他の鳴動動作を伴う場合には、当該他の鳴動動作を予約するとともに、前記強注意音の鳴動動作が終了したときに、前記他の鳴動動作が予約されている場合には、当該他の鳴動動作を開始する一方、前記他の警告が他の鳴動動作を伴わない場合には、当該他の鳴動動作の予約を行わない手段を備えたことを特徴とする請求項１または請求項２記載の画像読取装置。
【請求項５】
前記強注意音の鳴動動作中に、操作手段の操作が行われたとき、当該操作に伴って操作音の鳴動が設定されている場合であっても、当該操作音の鳴動を行わない手段を備えたことを特徴とする請求項１または請求項２または請求項３または請求項４記載の画像読取装置。
【請求項６】
原稿画像を読み取って得た画像データから所定の地紋パターンを認識すると、当該読み取り画像データに対して所定の無効化処理を適用するとともに、所定の強注意音を鳴動出力する画像読取装置の制御方法において、
前記強注意音の鳴動動作中に、新たに原稿画像を読み取って得た画像データから所定の地紋パターンを認識すると、動作中の前記強注意音の鳴動を停止し、新たに読み取った原稿について所定の強注意音の鳴動動作を開始することを特徴とする画像読取装置の制御方法。
【請求項７】
前記強注意音の鳴動動作中に、新たに原稿画像を読み取って得た画像データから所定の地紋パターンを認識すると、次ページについて前記強注意音の鳴動動作を予約するとともに、前記強注意音の鳴動動作を終了したときに、前記強注意音の鳴動動作が予約されている場合には、前記強注意音の鳴動動作を開始することを特徴とする請求項１記載の画像読取装置の制御方法。
【請求項８】
前記強注意音の鳴動動作中に、他の警告による他の鳴動動作が発生した場合、当該他の鳴動動作を予約するとともに、前記強注意音の鳴動動作が終了したときに、前記他の鳴動動作が予約されている場合には、当該他の鳴動動作を開始することを特徴とする請求項１または請求項２記載の画像読取装置の制御方法。
【請求項９】
前記強注意音の鳴動動作中に、他の警告が発生したとき、当該他の警告が他の鳴動動作を伴う場合には、当該他の鳴動動作を予約するとともに、前記強注意音の鳴動動作が終了したときに、前記他の鳴動動作が予約されている場合には、当該他の鳴動動作を開始する一方、
前記他の警告が他の鳴動動作を伴わない場合には、当該他の鳴動動作の予約を行わないようにしたことを特徴とする請求項１または請求項２記載の画像読取装置の制御方法。
【請求項１０】
前記強注意音の鳴動動作中に、操作手段の操作が行われたとき、当該操作に伴って操作音の鳴動が設定されている場合であっても、当該操作音の鳴動を行わないようにすることを特徴とする請求項１または請求項２または請求項３または請求項４記載の画像読取装置の制御方法。
【発明の詳細な説明】
【技術分野】
【０００１】
本発明は、原稿画像を読み取って得た画像データから所定の地紋パターンを認識すると、当該読み取り画像データに対して所定の無効化処理を適用するとともに、所定の強注意音を鳴動出力する画像読取装置、および、その制御方法に関する。
【背景技術】
【０００２】
近年、情報漏洩やセキュリティが企業の問題となっている。その対策として、機器自体に操作制限をかけたり、原稿自体に地紋などを入れ、複製データを作らせないようなもの、すなわち、不正コピー抑制機能を備えた機器などが考えられている。
【０００３】
また、例えば、不正原稿が用いられた場合、操作パネルなどで警告のガイダンス表示をするとともに、第三者にも知らしめるためにブザー鳴動動作などの警告を行なうものがあげられている（特許文献１参照）。
【０００４】
一方、機器では、元々、操作音や数多くの警告についてもブザー鳴動動作を用いて表現をしているため、不正原稿を用いられた時のブザー表現としては、それらと区別できるようにするために強注意音を用いることが考えられている。
【０００５】
ここで、強注意音のブザー鳴動動作はＪＩＳ（ＪＢＭＳ−７１−２００２）で規定されており、「ピッピッピッピッピッ  ０．１秒（０．１秒）の５回繰り返し  組合せ音間の無音１秒の組合せ音（繰り返し）」というものである。
【特許文献１】特開平１０−２２２０３３号公報
【発明の開示】
【発明が解決しようとする課題】
【０００６】
このように、強注意音は、一定時間鳴らすことが定められており、そのために、不正原稿を連続して検知した際、適切に当該検知事象を通知できなかったり、他のブザー鳴動動作と交錯した際に、強注意音の鳴動動作が行えず、保証範囲が明確になっていないのが現状であり、ユーザーにとっては、何の状態であるかブザー鳴動動作からでは判断できないことが生じてしまう。
【０００７】
本発明は、かかる実情に鑑みてなされたものであり、不正原稿を複数枚検知した際の強注意音の制御を行なうとともに、他の要因によるブザーが適切に処理することができる画像読取装置およびその制御方法を提供すること目的とする。
【課題を解決するための手段】
【０００８】
本発明は、原稿画像を読み取って得た画像データから所定の地紋パターンを認識すると、当該読み取り画像データに対して所定の無効化処理を適用するとともに、所定の強注意音を鳴動出力する画像読取装置において、前記強注意音の鳴動動作中に、新たに原稿画像を読み取って得た画像データから所定の地紋パターンを認識すると、動作中の前記強注意音の鳴動を停止し、新たに読み取った原稿について所定の強注意音の鳴動動作を開始する手段を備えたものである。
【０００９】
また、前記強注意音の鳴動動作中に、新たに原稿画像を読み取って得た画像データから所定の地紋パターンを認識すると、次ページについて前記強注意音の鳴動動作を予約するとともに、前記強注意音の鳴動動作を終了したときに、前記強注意音の鳴動動作が予約されている場合には、前記強注意音の鳴動動作を開始する手段を備えたものである。
【００１０】
また、前記強注意音の鳴動動作中に、他の警告による他の鳴動動作が発生した場合、当該他の鳴動動作を予約するとともに、前記強注意音の鳴動動作が終了したときに、前記他の鳴動動作が予約されている場合には、当該他の鳴動動作を開始する手段を備えたものである。
【００１１】
また、前記強注意音の鳴動動作中に、他の警告が発生したとき、当該他の警告が他の鳴動動作を伴う場合には、当該他の鳴動動作を予約するとともに、前記強注意音の鳴動動作が終了したときに、前記他の鳴動動作が予約されている場合には、当該他の鳴動動作を開始する一方、前記他の警告が他の鳴動動作を伴わない場合には、当該他の鳴動動作の予約を行わない手段を備えたものである。
【００１２】
また、前記強注意音の鳴動動作中に、操作手段の操作が行われたとき、当該操作に伴って操作音の鳴動が設定されている場合であっても、当該操作音の鳴動を行わない手段を備えたものである。
【００１３】
また、原稿画像を読み取って得た画像データから所定の地紋パターンを認識すると、当該読み取り画像データに対して所定の無効化処理を適用するとともに、所定の強注意音を鳴動出力する画像読取装置の制御方法において、前記強注意音の鳴動動作中に、新たに原稿画像を読み取って得た画像データから所定の地紋パターンを認識すると、動作中の前記強注意音の鳴動を停止し、新たに読み取った原稿について所定の強注意音の鳴動動作を開始するようにしたものである。
【００１４】
また、前記強注意音の鳴動動作中に、新たに原稿画像を読み取って得た画像データから所定の地紋パターンを認識すると、次ページについて前記強注意音の鳴動動作を予約するとともに、前記強注意音の鳴動動作を終了したときに、前記強注意音の鳴動動作が予約されている場合には、前記強注意音の鳴動動作を開始するようにしたものである。
【００１５】
また、前記強注意音の鳴動動作中に、他の警告による他の鳴動動作が発生した場合、当該他の鳴動動作を予約するとともに、前記強注意音の鳴動動作が終了したときに、前記他の鳴動動作が予約されている場合には、当該他の鳴動動作を開始するようにしたものである。
【００１６】
また、前記強注意音の鳴動動作中に、他の警告が発生したとき、当該他の警告が他の鳴動動作を伴う場合には、当該他の鳴動動作を予約するとともに、前記強注意音の鳴動動作が終了したときに、前記他の鳴動動作が予約されている場合には、当該他の鳴動動作を開始する一方、前記他の警告が他の鳴動動作を伴わない場合には、当該他の鳴動動作の予約を行わないようにしたものである。
【００１７】
また、前記強注意音の鳴動動作中に、操作手段の操作が行われたとき、当該操作に伴って操作音の鳴動が設定されている場合であっても、当該操作音の鳴動を行わないようにするものである。
【発明の効果】
【００１８】
したがって、本発明によれば、複数の原稿で地紋パターンを認識した際に最後の強注意音のみを処理することにより、全ての読み取り処理が終了し、ユーザーがいなくなった後にブザーが鳴り続けることを防ぐという効果を得る。
【発明を実施するための最良の形態】
【００１９】
以下、添付図面を参照しながら、本発明の実施の形態を詳細に説明する。
【００２０】
図１は、本発明の一実施例にかかるネットワークシステムを示している。
【００２１】
同図において、ローカルエリアネットワークＬＡＮには、複数のワークステーション装置ＷＳ１〜ＷＳｎ、メールサーバ装置ＳＭ、および、ネットワーク対応複合機ＭＦＰが接続されているとともに、ルータ装置ＲＴを介してインターネットへ接続されている。したがって、ワークステーション装置ＷＳ１〜ＷＳｎ、メールサーバ装置ＳＭ、および、ネットワーク対応複合機ＭＦＰは、インターネットを介し、他の適宜な端末装置との間でデータをやりとりすることができる。
【００２２】
ここで、メールサーバ装置ＳＭは、ローカルエリアネットワークＬＡＮに接続されているワークステーション装置ＷＳ１〜ＷＳｎを利用するユーザ、および、ネットワークネットワーク対応複合機ＭＦＰに対して、周知の電子メールの収集および配布のサービスを提供するものである。
【００２３】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００２４】
また、ネットワーク対応複合機ＭＦＰは、読み取り原稿の複写物を記録出力する複写機能、ローカルエリアネットワークＬＡＮを介してワークステーション装置ＷＳ１〜ＷＳｎからの印刷要求を受け付けて印刷動作を行うネットワーク対応プリント機能（いわゆる、ネットワークプリント機能）、読み取り原稿の画像データを指定されたメールアドレスへ電子メールを用いて送信するスキャン・ツー・イーメール機能、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行うファクシミリ通信機能などを備えている。また、読み取り原稿を読み取って得た画像データに所定の地紋パターンを検出すると、その画像データに所定の無効化処理を適用する不正コピー抑制機能も備えている。
【００２５】
図２は、ネットワーク対応複合機ＭＦＰの構成例を示している。
【００２６】
同図において、システム制御部１は、このネットワーク対応複合機ＭＦＰの各部の制御処理、複写機能、ネットワーク対応プリント機能、スキャン・ツー・イーメール機能、電子メール処理機能、および、ファクシミリ通信機能などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク対応複合機ＭＦＰに固有な各種の情報を記憶するためのものであり、時計回路４は、現在時刻情報を出力するものである。
【００２７】
スキャナ５は、所定の解像度で原稿画像を読み取るためのものであり、プロッタ６は、所定の解像度で画像を記録出力するためのものであり、操作表示部７は、このネットワーク対応複合機ＭＦＰを操作するためのもので、各種の操作キー、および、各種の表示器からなる。また、ブザー８は、操作音や各種警告音（強注意音を含む）を鳴動動作するためのものである。
【００２８】
符号化復号化部９は、画信号を符号化圧縮するとともに、符号化圧縮されている画情報を元の画信号に復号化するためのものであり、画像蓄積装置１０は、符号化圧縮された状態の画情報を多数記憶するためのものである。
【００２９】
グループ３ファクシミリモデム１１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３０】
網制御装置１２は、このネットワーク対応複合機ＭＦＰをアナログ公衆回線網ＰＳＴＮに接続するためのものであり、自動発着信機能を備えている。
【００３１】
ローカルエリアネットワークインターフェース回路１３は、このネットワーク対応複合機ＭＦＰをローカルエリアネットワークＬＡＮに接続するためのものであり、ローカルエリアネットワーク伝送制御部１４は、ローカルエリアネットワークＬＡＮを介して、他のデータ端末装置との間で種々のデータをやりとりするための各種所定のプロトコルスイートの通信制御処理を実行するためのものである。
【００３２】
地紋認識処理部１５は、読み取り画像データ中に含まれている所定の地紋パターンを認識するためのものである。
【００３３】
これらの、システム制御部１、システムメモリ２、パラメータメモリ３、時計回路４、スキャナ５、プロッタ６、操作表示部７、符号化復号化部９、画像蓄積装置１０、グループ３ファクシミリモデム１１、網制御装置１２、ローカルエリアネットワーク伝送制御部１４、および、地紋認識処理部１５は、内部バス１６に接続されており、これらの各要素間でのデータのやりとりは、主としてこの内部バス１６を介して行われている。
【００３４】
また、網制御装置１１とグループ３ファクシミリモデム１０との間のデータのやりとりは、直接行なわれている。
【００３５】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３６】
図３は、操作表示部７の構成の一例を示している。
【００３７】
同図において、スタートキー７ａは、このネットワーク対応複合機ＭＦＰａの送受信動作等の開始を指令入力するためのものであり、ストップキー７ｂは、このネットワーク対応複合機ＭＦＰａの動作の停止を指令入力するためのものであり、テンキー７ｃは、電話番号などの数字（数値）情報を入力するためのものである。
【００３８】
短縮ダイアルキー７ｄは、短縮ダイアルの入力を指令するためのものであり、ポーズ／リダイアルキー７ｅは、ポーズ（無音コード）または再発呼を指令するためのものであり、クリアキー７ｆは、テンキー７ｃで入力した数値を１桁消去するためのものである。
【００３９】
ワンタッチダイアルキー７ｇは、１つのキー操作で宛先番号または宛先メールアドレスなどを操作入力するためのものであり、さらに、メールアドレスを構成する英数文字を入力する際にも用いられる。
【００４０】
初期設定／登録キー７ｈは、ネットワーク対応複合機ＭＦＰａの初期設定や管理者用設定の登録を指令するためのものであり、この初期設定／登録キー７ｈが有効操作されている旨をあらわすための発光ダイオードＬＬが付設されている。
【００４１】
汎用キークラスタ７ｉは、８つの汎用キーＵＫ１〜ＵＫ８が配設されており、それぞれの汎用キーＵＫ１〜ＵＫ８には、当該汎用キーＵＫ１〜ＵＫ８が操作されている旨をあらわすための発光ダイオードＬ１〜Ｌ８が付設されている。
【００４２】
液晶表示装置７ｊは、このネットワーク対応複合機ＭＦＰａの操作ガイダンスの表示や、入力情報のフィードバック表示などの種々のメッセージを表示するためのものであり、その下方には、４つのダイアログ操作キー７ｋが設けられている。このダイアログ操作キー７Ｋは、液晶表示装置７ｊに表示されているダイアログにユーザが応答操作を行うためのものである。また、カーソルキー７ｌは、液晶表示装置７ｊに表示されている画面の項目の選択を移動する際などに使用されるものである。
【００４３】
また、この操作表示部７には、ユーザに対して警告音等を通知するためのブザー８（図示略）も設けられている。
【００４４】
また、図４（ａ）に示すように、システム初期設定情報として、ネットワーク対応複合機ＭＦＰの基本的な設定情報を登録するための基本設定、利用可能な用紙等を登録するための用紙設定、ファイルの転送先を登録するためのファイル転送先設定、および、管理者用の設定情報を登録するための管理者用設定情報が設けられており、例えば、パラメータメモリ３に保存される。これらの各設定情報は、ユーザにより、操作表示部７を適宜に操作することで登録される。
【００４５】
管理者用設定情報は、例えば、同図（ｂ）に示すように、ログ転送を行うか否かを設定するためのログ転送設定、および、不正コピー抑止を行うか否かを設定するための不正コピー抑止情報が含まれる。
【００４６】
この不正コピー抑止情報に、「（不正コピーを抑止）する」旨が登録されている場合には、スキャナ５で読み取って得た画像データについて、地紋認識処理部１５の地紋認識処理を適用し、所定の地紋パターンが含まれているか否かの検査を行い、含まれていると判断された場合には、所定の無効化処理を行って、無効化画像データ（後述）を出力する。例えば、複写動作の際には、無効化画像を複写物として記録出力し、スキャン・ツー・イーメール機能が指定されている場合には、指定されたメールアドレスに対して、無効化画像データを添付した電子メールを送信する。なお、スキャン・ツー・イーメール機能の場合には、不正コピー抑止に設定されている原稿を読み取った旨を通知する警告メッセージを本文情報に含めることができる。
【００４７】
例えば、図５（ａ）に示すように、地紋パターンは、用紙の地にランダムドット状の所定態様の孤立点パターンとして記録される。本実施例では、不正コピーを抑制する旨が設定登録されている場合、このような地紋パターンが印刷された原稿用紙の画像を読み取ると、同図（ｂ）に示すように、１ページ分の読み取り画像を無効化画像データに変換して出力する。例えば、複写動作の際には、同図（ｂ）に示したような複写画像を用紙上に記録出力する。また、スキャン・ツー・イーメール動作の場合には、同図（ｂ）に示したような画像データを読み取りデータとして送信する。
【００４８】
図６は、地紋認識処理部１５の一例を示している。
【００４９】
まず、地紋認識処理部１５は、スキャナ５によって読み取って得られた画像データを二値化した二値化画像データＲＤを処理する。孤立ドット検出部１５ａは、主走査方向がｄドットで、副走査方向がｌドットの矩形のブロック単位（図７（ａ）参照）に、入力された二値化画像データＲＤを区切り、それぞれのブロックについて、孤立点が含まれているかどうかを検出するものであり、その出力信号は、位相情報記憶部１５ｂに出力される。
【００５０】
位相情報記憶部１５ｂは、図７（ｂ）に示すように、主走査方向がＢブロックで副走査方向がＬブロックの領域（次のパターンマッチング部１５ｃの処理単位（パターンマッチングブロック））を区切り、それぞれの領域に含まれるブロックについて、孤立ドット検出部１５ａが孤立点を検出しているかどうかを調べ、その処理結果を、パターンマッチング部１５ｃへ出力する。
【００５１】
パターンマッチング部１５ｃは、位相情報記憶部１５ｂの出力結果に基づいて、処理単位となる領域に含まれるブロックのうち、孤立点が検出されているブロックの配置態様を調べ、あらかじめ登録されている地紋パターンに一致するかどうかを検出するものであり、その検出結果を地紋検出部１５ｄへ出力する。
【００５２】
地紋検出部１５ｄは、例えば、パターンマッチングブロックの１ライン単位に、パターンマッチング部１５ｃの出力を監視しており、地紋パターンが所定数以上検出された場合に、地紋パターンが記録されていると判断し、その判断結果を信号ＳＳとして出力する。
【００５３】
図８は、ユーザが操作表示部７を操作して、不正コピー抑止情報を登録する際の処理の一例を示している。
【００５４】
まず、ユーザがシステム初期設定を選択すると（処理１０１）、所定のシステム初期設定画面を表示し（処理１０２）、さらに、ユーザが管理者用設定画面を選択すると（処理１０３）、認証コードの入力を要求してユーザに入力させ（処理１０４）、入力された認証コードをあらかじめ登録されている値（図示略）と比較して一致するかどうかを調べる（判断１０５）。判断１０５の結果がＮＯになるときには、処理１０４へ戻り、認証コードを再度入力させる。
【００５５】
判断１０５の結果がＹＥＳになるときには、図９に示すような管理者用画面を表示し（処理１０６）、ユーザが不正コピー抑止を選択すると（処理１０７）、図１０に示すような不正コピー抑止選択画面を表示する（処理１０８）。
【００５６】
ユーザは、この不正コピー抑止選択画面から「する／しない」を選択するので（処理１０９）、その選択内容を、システム初期設定情報の管理者用設定情報の不正コピー抑止情報に登録する（処理１１０）。
【００５７】
さて、本実施例では、不正コピー抑止情報が「する」に設定されている場合、原稿読取動作を行うたびに、上述した地紋パターンの認識動作を行って、読み取った原稿に不正コピー抑止が設定されているかどうかを調べる。
【００５８】
そして、不正コピー抑止が設定されている原稿については、上述したように複写動作では無効化画像データの印刷物を複写物として出力し、スキャン・ツー・イーメール動作では、無効化画像データを読み取り画像データとして指定されたメールアドレスへ送信する。
【００５９】
それとともに、ブザー８を用いて強注意音を鳴動する。この鳴動動作は、ページ単位に行い、連続読み取りした複数ページの原稿に全て不正コピー抑止に設定されている場合には、後続ページの読取時に不正コピー抑止を認識した段階で、強注意音の鳴動動作中であった場合には、一旦その強注意音の鳴動動作を停止した後に、新たな強注意音の鳴動動作を行う。
【００６０】
このようにすることで、不正コピー抑止が設定された読み取り原稿が連続した場合でも、各ページについて、適切にブザー８を用いた注意喚起を、読み取りユーザおよびその周囲の他のユーザ（第三者）に行うことができ、心理的なコピー抑制の効果を高めることができる。
【００６１】
図１１は、ブザー８の強注意音鳴動動作の処理の要部の一例を示している。
【００６２】
原稿ごとの読み取り動作で地紋パターンが認識されると、強注意のブザー鳴動要求が発生する。現時点で、すでに強注意音の動作中であるかの判断を行なう（判断２０１）。強注意音の動作中で、判断２０１の結果がＹＥＳになるときには、強注意音の取消処理を行い、ブザーカウンタ（後述）の初期化を行なう（処理２０２）。
【００６３】
このようにして、動作中の鳴動処理が無い状態で、強注意音の開始処理を行なう（処理２０３）。
【００６４】
また、強注意音の動作中でない場合で、判断２０１の結果がＮＯになるときには、他の警告音の動作中であるかの判断を行なう（判断２０４）。他の警告音の動作中であり、判断２０４の結果がＹＥＳになるときには、警告音の取消処理を行い、ブザーカウンタの初期化を行なう（処理２０５）。次いで、処理２０３へ進み、強注意音の開始処理を行う。
【００６５】
また、判断２０４の結果がＮＯになるときには、処理２０３へ進み、強注意音の開始処理を行う。
【００６６】
ここで、ブザー鳴動の開始処理は、図１２に示すように、指示されたブザーパターン（強注意音、警告音、操作音など）に対応するブザーカウンタのセットを行なうことにより実現される（判断３０１〜処理３０６）。処理３０２，３０４，３０６のブザーカウンタのセットとしては、ブザー回数、ブザーオン時間、ブザーオフ時間、ブザー要求レベル、ブザー音量などが行なわれる。
【００６７】
このようにブザー鳴動の開始処理によりブザーカウンタがセットされると、そのセットされたブザーカウンタの内容に応じて、ブザー８が鳴動される。
【００６８】
このようにして、複数の原稿で地紋パターンを認識した際に最後の強注意音のみを処理することにより、全ての読み取り処理が終了し、ユーザーがいなくなった後にブザーが鳴り続けることを防ぐことができる。
【００６９】
図１３は、複数の原稿で地紋パターンを認識した場合のブザー鳴動予約登録処理の一例を示している。
【００７０】
まず、原稿ごとの読み取り動作で地紋パターンが認識されると、強注意のブザー鳴動要求が発生する。現時点で、すでに強注意音の動作中であるかの判断を行なう（判断４０１）。強注意音の動作中であり、判断４０１の結果がＹＥＳになるときには、強注意音の予約登録を行なう（処理４０２）。また、強注意音の動作中ではなく、判断４０１の結果がＮＯになるときには、強注意音の開始処理を行なう（処理４０３）。
【００７１】
図１４は、ブザー鳴動予約実行処理の一例を示している。
【００７２】
前提として、予約監視は一定時間での割り込み処理として実行されている。
【００７３】
まず、強注意音が終了しているかの判断を行なう（判断５０１）。強注意音が終了していれば（判断５０１の結果がＹＥＳ）、強注意音の予約登録があるかの判断を行なう（判断５０２）。強注意音の予約登録があれば（判断５０２の結果がＹＥＳ）、強注意音の開始処理を行なう（処理５０３）。
【００７４】
次いで、開始処理を行なった予約を削除し、予約数の更新を行なう（処理５０４）。
【００７５】
また、判断５０１の結果がＮＯになるとき、および、判断５０２の結果がＮＯになるときには、処理５０３，５０４を実行しない。
【００７６】
このようにして、複数の原稿で地紋パターンを認識した際に、地紋パターンを認識した原稿分の強注意音を鳴らすことにより、第三者に不正コピー禁止の原稿数を知らせることができる。
【００７７】
図１５は、他の警告が発生した場合のブザー鳴動予約登録処理の一例を示している。
【００７８】
警告要因が揃ったことにより、警告のブザー鳴動要求が発生する。現時点で、すでに強注意音の動作中であるかの判断を行なう（判断６０１）。強注意音の動作中であれば（判断６０１の結果がＹＥＳ）、警告音の予約登録を行なう（処理６０２）。
【００７９】
一方、強注意音の動作中でなければ（判断６０１の結果がＮＯ）、警告音の開始処理を行なう（処理６０３）。
【００８０】
図１６は、ブザー鳴動予約実行処理の他の例を示している。
【００８１】
前提として、予約監視は一定時間での割り込み処理として実行されている。
【００８２】
強注意音が終了しているかの判断を行なう（判断７０１）。強注意音が終了していれば（判断７０１の結果がＹＥＳ）、強注意音の予約登録があるかの判断を行なう（判断７０２）。強注意音の予約登録があれば（判断７０２の結果がＹＥＳ）、強注意音の開始処理を行なう（処理７０４）。
【００８３】
そして、開始処理を行なった予約を削除し、予約数の更新を行なう（処理７０４）。
【００８４】
一方、強注意音の予約登録がなければ（判断７０２の結果がＮＯ）、警告音の予約登録があるかの判断を行なう（判断７０５）。警告音の予約登録があれば（判断７０５の結果がＹＥＳ）、警告音の開始処理を行なう（処理７０６）。そして、処理７０４へ進み、開始処理を行なった予約を削除し、予約数の更新を行なう。
【００８５】
また、判断７０５の結果がＮＯになるとき、および、判断７０１の結果がＮＯになるときには、この処理を終了する。
【００８６】
このようにして、地紋パターンを認識した際の強注意音が鳴っているときに、他の警告が発生した場合でも強注意音の後に、当該他の警告にかかるブザーを鳴らしているので、警告発生を認識させることができる。
【００８７】
図１７は、他の警告が発生した場合のブザー鳴動予約登録処理の他の例を示している。
【００８８】
警告要因が揃ったことにより、警告のブザー鳴動要求が発生する。現時点で、すでに強注意音の動作中であるかの判断を行なう（判断８０１）。強注意音の動作中であれば（判断８０１の結果がＹＥＳ）、対象としている警告が一定時間表示されないものであるかの判断を行なう（判断８０２）。一定時間表示されるものでなけば（判断８０２の結果がＹＥＳ）、警告音の予約登録を行なう（処理８０３）。また、判断８０２の結果がＮＯになるときには、この処理を終了する。
【００８９】
一方、強注意音の動作中でなければ（判断８０１の結果がＮＯ）、警告音の開始処理を行なう（処理８０４）。
【００９０】
このようにして、地紋パターンを認識した際の強注意音が鳴っているときに、一定時間しか表示されない他の警告が発生した場合は、強注意音の後にブザーは鳴らさないようにしているので、警告表示とブザーのタイミングのずれが起きるような事態を回避することができる。
【００９１】
図１８は、強注意音の動作中の操作音処理の一例を示している。
【００９２】
操作パネルを操作されたことにより、操作音のブザー鳴動要求が発生する。現時点で、すでに強注意音の動作中であるかの判断を行なう（処理９０１）。強注意音の動作中であれば（判断９０１の結果がＹＥＳ）、ブザー鳴動要求に対する処理は行なわない。
【００９３】
一方、強注意音の動作中でなければ（判断９０１の結果がＮＯ）、操作音の開始処理を行なう（処理９０２）。
【００９４】
このようにして、地紋パターンを認識した際の強注意音が鳴っているときに、操作パネルから操作された場合は、強注意音の後にブザーは鳴らさないようにしているので、操作表示部７のパネル表示とブザーのタイミングのずれが起きるような事態を回避することができる。
【００９５】
なお、上述した説明では、ネットワーク対応複合機ＭＦＰについて本発明を適用した場合について説明したが、本発明は、原稿読取機能を備えた他の装置、例えば、スキャナ装置、ネットワーク対応スキャナ装置（特に、スキャン・ツー・イーメール機能を備えたもの）、複写機、ファクシミリ装置、および、ネットワークファクシミリ装置についても、同様にして適用することができる。
【図面の簡単な説明】
【００９６】
【図１】本発明の一実施例にかかるネットワークシステムを示したブロック図。
【図２】ネットワーク対応複合機ＭＦＰの構成例を示したブロック図。
【図３】操作表示部７の構成の一例を示した概略図。
【図４】システム初期設定情報、および、管理者用設定情報の一例を示した概略図。
【図５】不正コピー抑止原稿と無効化画像データの一例を示した概略図。
【図６】地紋認識処理部１５の一例を示したブロック図。
【図７】孤立ドット検出部１５ａの処理単位であるブロックと、パターンマッチング部１５ｃの処理単位であるパターンマッチングブロックの一例を示した概略図。
【図８】ユーザが操作表示部７を操作して、不正コピー抑止情報を登録する際の処理の一例を示したフローチャート。
【図９】管理者用画面の一例を示した概略図。
【図１０】不正コピー抑止選択画面の一例を示した概略図。
【図１１】ブザー８の強注意音鳴動動作の処理の要部の一例を示したフローチャート。
【図１２】ブザー鳴動の開始処理の一例を示したフローチャート。
【図１３】複数の原稿で地紋パターンを認識した場合のブザー鳴動予約登録処理の一例を示したフローチャート。
【図１４】ブザー鳴動予約実行処理の一例を示したフローチャート。
【図１５】他の警告が発生した場合のブザー鳴動予約登録処理の一例を示したフローチャート。
【図１６】ブザー鳴動予約実行処理の他の例を示したフローチャート。
【図１７】他の警告が発生した場合のブザー鳴動予約登録処理の他の例を示したフローチャート。
【図１８】強注意音の動作中の操作音処理の一例を示したフローチャート。
【符号の説明】
【００９７】
１  システム制御部
２  システムメモリ
３  パラメータメモリ
７  操作表示部
８  ブザー
【図１】
2006135777.tif 000003
【図２】
2006135777.tif 000004
【図３】
2006135777.tif 000005
【図４】
2006135777.tif 000006
【図６】
2006135777.tif 000007
【図７】
2006135777.tif 000008
【図８】
2006135777.tif 000009
【図１１】
2006135777.tif 000010
【図１２】
2006135777.tif 000011
【図１３】
2006135777.tif 000012
【図１４】
2006135777.tif 000013
【図１５】
2006135777.tif 000014
【図１６】
2006135777.tif 000015
【図１７】
2006135777.tif 000016
【図１８】
2006135777.tif 000017
【図５】
2006135777.tif 000018
【図９】
2006135777.tif 000019
【図１０】
2006135777.tif 000020